(57)【要約】【課題】記録開始直後、あらかじめ既記録信号を通常記録状態よりも速いスピードで高速に消去しておくことにより、記録開始時に発生する既記録信号との重ね書きによるノーマルオーディオのノイズを改善する事を目的とする。【解決手段】記録開始直後に、全幅消去ヘッド１を動作し磁気テープ１０を走行し、全幅消去ヘッド１からノーマルオーディオ／コントロール信号用磁気ヘッド９の長さ以上を、通常記録状態よりも速いスピードで高速に走行させることにより既記録信号を消去する。その事により、記録開始時に発生する既記録信号との重ね書きによるノーマルオーディオのノイズを改善する。【選択図】図１
2006139817.tif 000002
【特許請求の範囲】
【請求項１】
磁気テープを消去する全幅消去ヘッドと、映像信号をFM記録再生する回転磁気ヘッドと、ノーマルオーディオとコントロール信号を記録再生するＡ／Ｃヘッドから構成され、ユーザーからの記録命令があったときに、前期全幅消去ヘッドと前期Ａ／Ｃヘッドとの間の磁気テープ上の距離を通常の記録スピードよりも速い高速で全幅消去する高速消去モードを備えることを特徴とする磁気記録装置。
【請求項２】
前記高速消去モードによる全幅消去の時に、消去電流の周波数を通常記録時よりも高く設定した請求項１記載の磁気記録装置。
【発明の詳細な説明】
【技術分野】
【０００１】
本発明は磁気記録再生装置に係り、より詳細には音声消去専用ヘッドを持たない磁気記録再生装置の消去技術に関する。
【背景技術】
【０００２】
全幅消去ヘッドと磁気記録ヘッドの距離の分だけ以前の記録信号が消去されないまま新しい信号が記録されることによる重ね書きノイズを改善する方法としては、予約記録開始前にあらかじめ既記録信号を消去しておく、特開平１０−４９８０７などが知られている。
【特許文献１】特開平１０−４９８０７公報
【発明の開示】
【発明が解決しようとする課題】
【０００３】
しかしながら従来の構成では、予約開始時間があらかじめ分かっている時の重ね書きによるノイズを改善することを特徴とするが、すぐに記録を始めようとしている場合には有効ではなく、特に最近５倍長時間録画機能をうたう装置の場合には３０秒以上にわたり重ね書きによるノイズが発生してしまう。
【０００４】
この問題点の対応策として、磁気ヘッドのきわめて近い位置にノーマルオーディオ消去用ヘッドを設置する方法があり、ノーマルオーディオ／コントロール信号記録用磁気ヘッドとは別の消去ヘッドを取り付け、この消去ヘッドを用いて既記録信号部分を消去する方法があるが、その消去ヘッドが別途必要となり、コストアップにつながってしまうという課題を有していた。
本発明は上記従来の問題点を解決するもので、予約録画以外における記録開始においても記録開始後のある一定時間の間に発生する重ね書きによるノイズをコストを抑えて改善した磁気記録装置を提供することを目的とする。
【課題を解決するための手段】
【０００５】
この目的を達成するために本発明の、特にノーマルオーディオ消却ヘッドを持たない磁気記録再生装置は、磁気テープの記録済みの部分を消去する全幅消去ヘッドと、前記磁気テープの走行経路における前記全幅消去ヘッドよりも後段に配されノーマルオーディオ信号の記録を行う磁気ヘッドとを備え、記録開始前に少なくとも前記磁気ヘッドと前記全幅消去ヘッドとの磁気テープ上の距離分に記録された映像音声信号を前記消去ヘッドで高速に消去するよう前記磁気テープを駆動制御するテープ駆動制御回路と全幅消去ヘッド動作制御回路を備えたものである。この構成によって、安価に記録開始後のある一定時間の間発生する重ね書きによるノイズを改善する機能が得られる。
【発明の効果】
【０００６】
この構成によって、安価に記録開始後のある一定時間の間発生する重ね書きによるノイズを改善する機能が得られる。
【発明を実施するための最良の形態】
【０００７】
以下に、本発明の磁気記録再生装置の実施の形態を図面とともに詳細に説明する。
【実施例１】
【０００８】
以下、本発明の実施の形態について、記録指示が出された時を一例にとって図１及び図２を用いて説明する。
図１は本発明の磁気記録再生装置の動作を表すフローチャートで、図２においては、１は後述する磁気テープ１０に記録された映像音声信号をテープ全幅に渡って消去する全幅消去ヘッド、２は磁気テープ１０が内蔵されたテープカセット、３は回転シリンダ、４は回転シリンダ３に搭載され映像音声信号を磁気テープ１０に記録する磁気ヘッド、５及び６はテープカセット２に内蔵され磁気テープが巻回されたリールを回転駆動するリール台、７はリールの回転数を読み込んでテープの移動量を制御するリールコントロール回路、８は記録再生の制御を行う回路、９はノーマルオーディオおよびコントロール信号を磁気テープ１０に記録する磁気ヘッド、１１は全幅消去ヘッド動作制御回路である。図２は全幅消去ヘッド１と磁気ヘッド９の磁気テープ１０における状態を示す模式図である。
【０００９】
以上のように構成された本実施の形態の磁気記録再生装置について、以下にその動作を説明する。まず、使用者が記録しようとするテープカセットを磁気記録再生装置本体に挿入し、装置がテープカセットをローディングした時の、磁気テープ１０における、全幅消去ヘッド１の位置Ｑとノーマルオーディオ／コントロール信号用磁気ヘッド９の位置Ｐの位置関係は図３のようになり、このまま記録を開始すると、ノーマルオーディオ／コントロール信号用磁気ヘッド９と全幅消去ヘッド１との距離Ｌ１（Ｑ〜Ｐ）の長さに相当する部分の既記録信号が消去されずに、既記録信号と新たに記録されるノーマルオーディオ信号とが重ねて記録されることとなり、既記録信号の音声が新しく記録した音声に重なり、不快なノーマルオーディオの音声が、ある一定期間聞こえるなどの問題がある。また、その時間は磁気テープ１０の送りスピードに比例して長くなり、特に長時間録画をする場合に、テープ走行は遅くなるため、そのノーマルオーディオが重ね書きされている時間が非常に長くなる。
【００１０】
そこで、図１に示すように、使用者がリモートコントローラーや、本体の記録開始ボタンにより記録開始命令をだした直後、もしくはタイマー録画等で記録開始予定の時間になる直前の時点で、全幅消去ヘッド１を起動し、同時に必要に応じて高速に既記録信号の消去を可能とするために、全幅消去ヘッド動作制御回路より全幅消去ヘッド１の動作を高速消去モードに制御し、全幅消去ヘッド位置Ｑからノーマルオーディオ／コントロール信号用磁気ヘッド位置Ｐまでの距離Ｌ１よりも、少し長い距離Ｌ２（Ｑ〜Ｒ）分、磁気テープ１０を、記録をする順方向である矢印Ａ方向に、高速に、たとえば標準スピードの５倍の速度でリールコントロール回路７を制御して走行させ、磁気テープ１０の距離Ｌ２（Ｑ〜Ｒ）区間の既記録信号を短時間で消去する。高速で消去することで記録開始命令から磁気テープへの記録開始との間のタイムラグを最小限に抑える必要がある。
【００１１】
この消去期間には、ノーマルオーディオ／コントロール信号用磁気ヘッドでのノーマルオーディオ／コントロール信号の記録は行っていない。同様に回転シリンダ３に搭載されている磁気ヘッド４でも、映像音声の記録は行わない。
【００１２】
このことにより、ノーマルオーディオが重ね書きされるはずであった、全幅消去ヘッド位置Ｑからノーマルオーディオ磁気ヘッド位置Ｐまでの距離Ｌ１（Ｑ〜Ｐ）に相当する部分は、記録再生制御回路が記録指示を出した直後、非常に短期間で全幅消去ヘッド１により、すべての既記録信号である映像音声信号が全幅に対し消去され、なにも記録されていない部分が出来ることになる。
【００１３】
その後、通常の記録開始状態に入り、ノーマルオーディオ／コントロール信号用磁気ヘッド９により新しいノーマルオーディオ信号が記録開始位置Ｓから記録され始める。同様に回転シリンダ３に搭載されている磁気ヘッド４でも、映像音声の記録を始める。
【００１４】
また、コントロール信号もこの時から記録されはじめ、頭出しなどの基準信号となるＶＩＳＳ信号もこの記録開始時に記録されることにより、使用者が記録した信号の頭出しを行うべく、頭出しの機能を使用して、記録開始の位置に磁気テープ１０を巻き戻し／早送りしたときには、無記録状態を意識することなく、再生の動作に移ることが出来る。
【００１５】
さらに、ノーマルオーディオ／コントロール信号記録用磁気ヘッドの位置は回転シリンダ３、及び回転シリンダ３に搭載されている磁気ヘッド４よりも、後方に位置しているため、今回の消去方法によりノーマルオーディオの重ね書きによる音声ノイズだけではなく、映像およびハイファイ音声信号に対しても重ね書きによるノイズは削除されることになる。
【００１６】
一旦、記録を開始・終了した後、テープの出し入れ、巻き戻し、早送り、再生など一切の動作がないまま、継続して記録開始命令が出た場合は、ノーマルオーディオ／コントロール信号用磁気ヘッドの前に、既記録信号がすでに全幅消去ヘッド１で消去されており、上記高速消去の必要性がないため、上述の高速消去は必要ない。
【００１７】
以上のように本実施の形態によれば、既記録信号と新たに記録されるノーマルオーディオ信号とが重ねて記録されることとなり、既記録信号の音声が新しく記録した音声に重なって聞こえ、さらに速度の違う記録速度の場合は、不快なノーマルオーディオの音声がある一定期間聞こえるなどの問題が解決、改善される。
【実施例２】
【００１８】
５倍速以上の高速消去モードにおいては通常設定されている全幅消去ヘッドの消去電流の周波数を約５５ＫＨｚで使用した場合、標準再生したときに約１０ＫＨｚの可聴域の範囲となり、音として聞こえてしまうというような問題が発生するおそれがある。
【００１９】
従って、５倍速以上の消去モードにおいては全幅消去ヘッド制御回路において、周波数を約１００ＫＨｚ以上等に切り替え、標準再生で再生されたときに可聴域にならないように周波数を切り替えることが望ましい。ｎ倍速で消去を行う場合、全幅消去ヘッドの消去電流の最低周波数ｆは水平偏向周波数をfＨとするとｆ＝ｆＨ×（ｎ＋０．５）で表される。ｎ＝３の時に周波数は約５５ＫＨｚ。ｎ＝４の時に周波数は約７０ＫＨｚ。ｎ＝６の時に周波数は約１００ＫＨｚとなる。
【００２０】
また、１ＫＨｚの信号を飽和記録したテープの一部を、高速消去モード状態で全幅消去ヘッド単独で消去し、未消去部分と消去部分の比が最低３５ｄＢ取れるように消去電流を設定する。
【産業上の利用可能性】
【００２１】
以上のように本発明は、全幅消去ヘッドとは別の新たな消去ヘッドを設けることなく、安価に予約記録開始時に発生する重ね書きによるノーマルオーディオのノイズを改善できるので、特に長時間録画を特徴とする普及価格の磁気記録再生装置に利用できる。
【図面の簡単な説明】
【００２２】
【図１】本発明の実施例における動作フローチャート
【図２】本発明の実施例における磁気記録再生装置の構成を示す模式図
【図３】同実施の形態における全幅消去ヘッドと磁気ヘッドのテープにおける位置を示す模式図
【符号の説明】
【００２３】
１  全幅消去ヘッド
２  カセット
３  回転シリンダ
４  磁気ヘッド
５  供給リール
６  受給リール
７  リールコントロール回路
８  記録再生制御回路
９  ノーマルオーディオ／コントロール信号用磁気ヘッド
１０  磁気テープ
１１  全幅消去ヘッド動作制御回路                                                               
【図１】
2006139817.tif 000003
【図２】
2006139817.tif 000004
【図３】
2006139817.tif 000005